(57)【特許請求の範囲】
【請求項１】
メガネ用のテンプルに使用されるバネヒンジであって、テンプル前端部の合口部側面と外側側面の二方向が開口した少なくとも一箇所以上のネジ孔を有する収納用凹部をその先端部に有するテンプルと、該テンプル外側側面の開口部を閉じる内側面にネジ穴が設けられた必須となるバネ止め用ストッパー凸部と任意付設のスライド部材用ストッパーとなる凸部が一体的に設けられた一枚の蓋部材と、前記テンプル収納用凹部に収まる略コの字型をしたコマ付スライド部材と、そのコの字型の間と蓋側バネストッパー凸部の間に入るバネ部材と、を有し、軸ネジにより、ヨロイ側コマ部と前記コの字型のコマ部とが回動可能に連結された事を特徴とするメガネ用バネヒンジ。
【請求項２】
メガネ用のテンプルに使用されるバネヒンジであって、テンプル前端部の合口部側面と外側側面の二方向が開口した少なくとも一箇所以上のネジ孔を有する収納用凹部をその先端部に有するテンプルと、該テンプル外側側面の開口部を閉じる内側面にネジ孔が設けられた必須となるバネストッパー用凸部と任意付設のスライド部材用ストッパーとなる凸部とを有し、その内の必須の前方のバネストッパー用凸部の前側面が相対する角張った形状のヨロイ側コマ部材の中心コマ要素のみの後側面に面接触する様に設けられた一枚の蓋部材と、前記テンプル収納用凹部に収まる略コの字型をしたコマ付スライド部材と、そのコの字型の間と蓋側バネストッパー凸部の間に入るバネ部材と、を有し、軸ネジにより連結され、テンプルがヨロイ部に対しダブルアクション機能を有する様に回動可能にされた事を特徴とするメガネ用バネヒンジ。
【請求項３】
前記ヨロイ側コマ部材の上下面又は角部にテンプル側先端部が接触しないようにされた事を特徴とする請求項２に記載のメガネ用バネヒンジ。
【請求項４】
前記バネヒンジの収納部がテンプルとは独立した別体のボックス状にされた事を特徴とする請求項１又は２に記載のメガネ用バネヒンジ。
【請求項５】
前記バネヒンジ収納部がテンプルとは独立した別体のボックス状であり、ボックス奥壁が翼状に延長され、その延長翼状部内壁の突起部か又は／及び蓋部材の上下内壁部に設けられた突起部により、別体のテンプル基板に食い込むようにされた事を特徴とする、請求項４に記載のメガネ用バネヒンジ。
【請求項６】
前記蓋部材の外側面に装飾を有することを特徴とする請求項１〜５の何れか１項に記載のメガネ用バネヒンジ。
【発明の詳細な説明】
【技術分野】
【０００１】  本発明はメガネ用のバネヒンジの構造に関する。特に、特許３４２４０３１号の改良に関する。更にそれから進歩性を持たせたバネヒンジに関する。
【背景技術】
【０００２】  先般、本発明者は、特許３４２４０３１号に於いて、バネ丁番の構造を提案し、又、同アメリカ合衆国に於いても６，６３１，１９４号を取得した。そして、製品化され好評を持って利用されている。しかし、製造又は販売の現場に於いて改良すべき点も多少出てきた。【０００３】
【特許文献１】特許３４２４０３１号
【特許文献２】米国特許  ６，６３１，１９４号
【発明の開示】
【発明が解決しようとする課題】
【０００４】  その改良すべき点とは、特許３４２４０３１号の従来図、図１１に示した如く、テンプル端部の凹部の合口部６１の中程にはバネストッパーとなる凸部６２が設けられた構造となっているが、テンプル前端部の凹部内部に凸部を一体的に設ける事は技術的に手間が掛かり、高価に付いた。又、不良部分が少しでも生じるとテンプル全体が不良品となってしまい無駄が多かった。又、図１２の様に両側面を蓋にすると狂いが生じ易く、締りが悪くなりがたつきが起き易くなってしまった。そして、昨今幅広な樹脂、竹、木材、それにアルミ等の柔らかい素材をフレーム、テンプルに使用する事例が増え、その応用にも適応した。又、最近、国内に於いてもダブルアクションを好む人も少しづつ増えてきて、その事も含めて改良を図った。
【課題を解決するための手段】
【０００５】  メガネ用のテンプルに使用されるバネヒンジであって、テンプル前端部の合口部側面と外側側面の二方向が開口した少なくとも一箇所以上のネジ孔を有する収納用凹部をその先端部に有するテンプルと、該テンプル外側側面の開口部を閉じる内側面にネジ穴が設けられた必須となるバネ止め用ストッパー凸部と任意付設のスライド部材用ストッパーとなる凸部が一体的に設けられた一枚の蓋部材と、前記テンプル収納用凹部に収まる略コの字型をしたコマ付スライド部材と、そのコの字型の間と蓋側バネストッパー凸部の間に入るバネ部材と、を有し、軸ネジにより、ヨロイ側コマ部と前記コの字型のコマ部とが回動可能に連結されたメガネ用バネヒンジの提供。【０００６】  そして更に、メガネ用のテンプルに使用されるバネヒンジであって、テンプル前端部の合口部側面と外側側面の二方向が開口した少なくとも一箇所以上のネジ孔を有する収納用凹部をその先端部に有するテンプルと、該テンプル外側側面の開口部を閉じる内側面にネジ孔が設けられた必須となるバネストッパー用凸部と任意付設のスライド部材用ストッパーとなる凸部とを有し、その内の必須の前方のバネストッパー用凸部の前側面が相対する角張った形状のヨロイ側コマ部材の中心コマ要素のみの後側面に面接触する様に設けられた一枚の蓋部材と、前記テンプル収納用凹部に収まる略コの字型をしたコマ付スライド部材と、そのコの字型の間と蓋側バネストッパー凸部の間に入るバネ部材と、を有し、軸ネジにより連結され、テンプルがヨロイ部に対しダブルアクション機能を有する様に回動可能にされた事を特徴とするメガネ用バネヒンジの提供。【０００７】そして、前記ヨロイ側コマ部材の上下面又は回動角部にテンプル側先端部が接触して傷がつかないように設けた。【０００８】  そして更に、前記バネヒンジの収納部を独立した別体のボックス状として形成した。【０００９】  それから、前記バネヒンジの収納部を独立した別体のボックス状であり、ボックス奥壁が翼状に延長されその翼状延長部の内壁に少なくとも一対の突起部が設けられるか、或いは蓋部材上下内壁部に少なくとも一対の突起が設けられ、幅広の比較的柔らかなテンプル基板に食い込むように設けた。【００１０】  更に、前記蓋部材の外側面に装飾を有する様にし、デザイン的な広がりを演出出来る様にした。
【発明の効果】
【００１１】  蓋部材に凸部ストッパーを設ける事により、テンプル端部凹部の加工がし易くなり単価を下げる事が出来るようになった。又、テンプル外側の装飾も蓋部材を一体的に加工する事により簡単に装飾が着けられるのでバリエーションが豊富になった。勿論バネヒンジとしての機能も失う事は無い。又、故障した際にも一目でネジを外すと分解出来る事が一般の人でも解る。そして、バネの交換もピンセットで取り出して出来るので小売店対応が可能となる。又、最近嗜好が増えてきたダブルアクションタイプにも同じ構造で簡単に対応出来るようにした。そして更に、比較的幅広で柔らかな素材に対しても緩み無く本発明のバネヒンジを使用出来る事になった。
【発明を実施するための最良の形態】
【００１２】  テンプル前端部の合口部側面と外側側面の二方向が開口した少なくとも一箇所以上のネジ孔を有する収納用凹部をその先端部に有するテンプルと、該外側側面の開口部を閉じる内側面に少なくとも一箇所以上のネジ穴が設けられたバネ止め用ストッパーとなる凸部が一体的に設けられた一枚の蓋部材と、前記テンプル収納用凹部に収まる略コの字型をしたコマ付スライド部材と、そのコの字型の間と蓋側バネストッパー凸部の間に入るバネ部材と、を有し、軸ネジにより、ヨロイ側コマ部と前記コの字型のコマ部とが回動可能に連結されたバネヒンジ構造とした。
【実施例１】
【００１３】  図１、２，３は本発明の実施例の説明用斜視図であり、図１は蓋部材１０とスライド部材２０とバネ部材３０の組立てる前の分解斜視図で、図２はそれを一部組み立てた斜視図で、図３は更にそれをテンプル４０に組立てる寸前の要部斜視図である。【００１４】  先ず図３の様に、テンプル前端部４１の合口部側面４２と外側側面４３の二方向が開口する様に設けられ、少なくとも一箇所以上のネジ穴４４が設けられた収納用凹部４５が設けられる。この凹部は中に余分な凸部が無く平坦なので、切削、プレス等で簡単に加工出来る。そして、テンプル４０の外側側面４３を閉じる蓋部材１０は、その内側面１４に少なくとも一箇所以上のネジ穴１３が設けられた必須のバネ止め用ストッパーとなる凸部１１と任意に設けられるスライド部材用ストッパー凸部１２が設けられる。そして、先端自由端部のコマ部材２１とその後方に連設された略コの字型をしたスライド部材２０が設けられる。そしてバネ部材３０は前記スライド部材２０のコの字型の内部と必須のバネ止め用ストッパー１１の間に僅かに予備緊張状態で配置される。【００１５】  その組立て手順は、図１の様に、先ず蓋部材１０の後方凸部１２の内側にスライド部材２０の後端部を当接し、該蓋部材の前方凸部１１をスライド部材２０の略コの字型内部に嵌合する。そして次に、バネ部材３０の後端部３２をスライド部材２０の内側後端部に、バネ部材の先端部３１を蓋部材のストッパー用前方凸部１１の後方に僅かに予備緊張状態にして嵌め込む。それが図２の状態であり、そのまま、図３の如く、テンプル４０の凹部４５にスライド部材２０の略コの字型部分とその中に配置されているバネ部材と蓋部材１０の凸部を嵌め込む。バネ等が暴れる事も無くすんなりと収まる。そして、テンプル４０の内側からネジ４６で留める。【００１６】  そして図４は、本発明のバネヒンジを備えたテンプルを軸ネジＴでヨロイ側部品に連結した状態の平面図であり、外側への過開拡も以前と変わりなく可能で、機能的には変わらなかった。【００１７】  そして図５，６は本発明の他の実施例の分解斜視図とその組立て後の部分断面平面図であり、テンプル前端部の合口部面４２ａと外側側面４３ａの二方向が開口し、ネジ穴４４ａが設けられた収納用凹部４５ａをその先端部に有するテンプル４０ａが用意される。そして、前記テンプルの外側側面４３ａを閉じる為の蓋部材１０ａが用意される。そしてその蓋部材の内側面１４ａには蓋部材１０ａの長軸方向に直角にそして内側方向に垂直に設けられた内側面１６が相対する角張ったヨロイ側コマ部側面２７のみに面接触する様に設けられた必須のバネストッパーとなる凸部１１ａと、任意に設けられるスライド部材用ストッパーとなる凸部１２ａが設けられる。そして、前記テンプル収納用凹部４５ａに収まる略コの字型をした先端コマ付スライド部材２０ａが設けられる。そしてそのコの字型スライド部材のコの字型の間２８と蓋側バネストッパー１１ａの間に入るバネ部材３０ａを設ける。そして軸ネジにより、ヨロイ側の角張った形状のコマ部２５の後側面２７と前記コの字型コマ部材２１ａと蓋部材の凸部内側面１６によりダブルアクション機能を有する様に回動可能に連結する。そして、更��好ましくは、ヨロイ側コマ部材２５の上下面２６ａ、及び角部分２６ｂはテンプル側先端部合口部分４２ａやテンプル先端部４２ｂに当接しないように設けられる。これは、この部分のメッキが剥がれ易く、品質の低下を招かないためにも重要である。【００１８】  図６は図５からの機能性説明用の組み立て平面図であり、先ずＰの状態はメガネを掛ける為にテンプルが普通に開かれた状態であり、そしてメガネを折り畳む場合、Ｑの状態迄折り畳むとヨロイ側コマ２５は角張っているのでそこを越えると自動的にバネ力によりＲの状態に折り畳まれる。又、逆の場合、即ち、閉じた状態Ｒから使用の為にテンプル４０ｃを少し広げてＱの状態迄開拡すると角張ったコマ部材とバネ力により自動的にテンプル４０ａが使用可能な状態に開く、これが所謂ダブルアクション機能と呼ばれるものである。そして更にメガネを掛ける際に更に拡げて過開拡の状態Ｓにして頭部に装着する事になる。従来、欧米では好まれていて、日本国内に於いては何故かダブルアクション機能は長い間好まれなかったが、最近ようやく日本に於いても少しづつ人気が出て来た機能ではある。又、テンプル１０ａとヨロイ側の境界面２６はヨロイ側の中心コマ部と蓋部材側凸部内側面１６のみが面接触する様にされる事が好ましい。これはヨロイ側の先端部露出面のメッキ等が剥がれるのを防止するのに有効である。【００１９】  次に図７の様に、テンプルの一端部にバネヒンジを収納するように設けるだけではなく、ボックス形状４８にしてテンプル４０ｄとは独立させ別体にして芯金４０ｅをロウ付け等により取り付けるように形成しても良い。【００２０】  更に、図８は、ボックス形状４８ａにされテンプル４０ｆとは独立した別体にし、更に、ボックス奥壁４９が翼状に延長されその翼状延長部４９ａの内壁に少なくとも一対の突起部８０が設けられるか、或いは蓋部材１０ｂの上下内壁部１０ｆに少なくとも一対の突起８０ａが設けられ、幅広の比較的柔らかなテンプル４０ｆ基板側面４０ｇに食い込むように設けた。こうする事により、今迄困難であった幅広の柔らかな材質のテンプルにも本発明のバネヒンジの使用が可能となった。【００２１】  図９は蓋部材の外側面１５に装飾面５０を設けた場合の斜視図であり、蓋部材の平らなところへの装飾であるので失敗の確率も少なくなりテンプル部材のロスも減った。【００２２】  図１０は、本発明の他の実施例の分解平面図であり、この場合は、蓋部材１０ｃの内側面１４ｂに設けられたバネ用ストッパー凸部１１ｂが必須の前方のみの一箇所である場合の説明図であり、この場合テンプル外側側面４３ｂの端部に蓋端部嵌合用の切り込み部４７が設けられる事によりネジが一箇所で済む事となる。【００２３】  図１１は、特許３、４２４、０３１号の従来図であり、テンプル６０の端部の凹部の合口部６１の中程にバネストッパーとなる凸部６２が設けられた構造となっているが、テンプル前端部の凹部内部に凸部を一体的に設けることは手間も掛かりコストが高く付いてしまっていた。少しでも狂いが生じると高価なテンプル全体が不良品になってしまっていた。【００２４】  図１２は、特許３、４２４、０３１号の他の従来図であり、開口部の表裏面を蓋部材６３，６４で覆った例図であり、両側面を蓋にすると狂いが生じ易く、締りが悪くなりがたつきが起き易くなってしまった。
【図面の簡単な説明】
【００２５】
【図１】本発明の実施例のバネヒンジの分解斜視図
【図２】図１の組立て後の斜視図
【図３】テンプルに取り付ける前の要部分解斜視図
【図４】本発明の機能性説明用平面図
【図５】本発明の他の実施例のバネヒンジ分解斜視図
【図６】図５からの機能性説明用組立て平面図
【図７】本発明の他の実施例の要部側面図
【図８】本発明の他の実施例の要部分解斜視図
【図９】本発明の他の実施例の装飾部斜視図
【図１０】本発明の他の実施例の分解平面図
【図１１】従来図
【図１２】従来図
【符号の説明】
【００２６】１０、蓋部材
１１、１２、バネ止め用ストッパー凸部
１３、ネジ穴
１４、蓋部材内側面
１５、蓋部材外側面
２０、スライド部材
２１、コマ部材
２６、テンプルとヨロイ部接触面
３０、バネ部材
４０、テンプル
４２、テンプル合口部側面
４３、テンプル外側側面
４５、テンプル凹部
４９、蓋奥壁延長部
５０、装飾部
６０、従来テンプル
８０、突起部
【図１】
0004915534.tif 000002
【図２】
0004915534.tif 000003
【図３】
0004915534.tif 000004
【図４】
0004915534.tif 000005
【図５】
0004915534.tif 000006
【図６】
0004915534.tif 000007
【図７】
0004915534.tif 000008
【図８】
0004915534.tif 000009
【図９】
0004915534.tif 000010
【図１０】
0004915534.tif 000011
【図１１】
0004915534.tif 000012
【図１２】
0004915534.tif 000013